(57)【要約】【課題】間伐材がもつ収縮やひび割れ等変形が大きいといった問題点を解消し、有効に間伐材を利用することが可能となる間伐材利用パネルの製造方法及びその方法により製造される間伐材利用パネルの提供を図る。【解決手段】間伐材を利用した合成パネルの製造方法であって、間伐材を加工してできた略同一の角材２を複数本用意し、該複数の角材２を並列に配列し、並列に配列された角材２同士を結束するための少なくとも一以上の貫通孔３を形成するとともに該貫通孔３に金属筋5を通し、両端列に配列された角材２から内側列に配列された角材２方向へ並列に配列された角材２同士を加圧しつつ乾燥を行い、乾燥完了後に前記金属筋５の両端を締結具６で締結するとともに前記加圧を止めることで完成する。並列に配列された角材２の隣接する角材隣接面２ａに、少なくとも一以上の貫通溝４が長さ方向に形成されている構成とすることも考え得る。【選択図】図１
2010043461.tif 000002
【特許請求の範囲】
【請求項１】
間伐材を利用した合成パネルの製造方法であって、間伐材を加工してできた略同一の角材を複数本用意し、該複数の角材を並列に配列し、並列に配列された角材同士を結束するための少なくとも一以上の貫通孔を形成するとともに該貫通孔に金属筋を通し、両端列に配列された角材から内側列に配列された角材方向へ並列に配列された角材同士を加圧しつつ乾燥を行い、乾燥完了後に前記金属筋の両端を締結具で締結するとともに前記加圧を止めることで完成することを特徴とする間伐材利用パネルの製造方法。
【請求項２】
前記間伐材利用パネルの製造方法において、並列に配列された角材の隣接するいずれか一方の角材隣接面に、少なくとも一以上の貫通溝が長さ方向に形成されていることを特徴とする請求項１に記載の間伐材利用パネルの製造方法。
【請求項３】
前記間伐材利用パネルの製造方法において、並列に配列された角材の隣接する両方の角材隣接面に、少なくとも一以上の貫通溝が長さ方向に形成されていることを特徴とする請求項１に記載の間伐材利用パネルの製造方法。
【請求項４】
前記間伐材利用パネルの製造方法において、並列に配列された角材の隣接する両方の角材隣接面に形成された夫々の貫通溝同士が同位置にあるように貫通溝が形成されていることを特徴とする請求項３に記載の間伐材利用パネルの製造方法。
【請求項５】
前記間伐材利用パネルの製造方法において、貫通孔が、金属筋と略同径であることを特徴とする請求項１から請求項４のいずれかに記載の間伐材利用パネルの製造方法。
【請求項６】
前記間伐材利用パネルの製造方法において、貫通溝に空気を送風することで乾燥を行うことを特徴とする請求項２から請求項５のいずれかに記載の間伐材利用パネルの製造方法。
【請求項７】
前記間伐材利用パネルの製造方法において、乾燥完了後に貫通溝を埋込材で埋めることを特徴とする請求項２から請求項６のいずれかに記載の間伐材利用パネルの製造方法。
【請求項８】
前記請求項１から請求項７のいずれかに記載の方法により製造される間伐材利用パネル。
【発明の詳細な説明】
【技術分野】
【０００１】
本発明は、間伐材を利用した合成パネルの製造方法及びその方法により製造される間伐材を利用した合成パネルに関するものである。
【背景技術】
【０００２】
間伐材は、森林保護のために行う間伐作業で出る副産物である。従来、かかる間伐された木々は、何ら利用されることなく、間伐を行った山林に放置されたままの状態となっている。これは、間伐された木々を製材し、間伐材として利用するとなると、収縮が激しく、ひび割れや捩れ等の変形も大きいため、利用することに困難であったことが理由として挙げられる。
【０００３】
間伐作業自体は、木の光合成を促進させるために行われるものであるが、間伐された木々をそのまま山林へ放置しておくことは、その木々が朽ちて消滅する際に、かえって二酸化炭素の排出を伴ってしまうこととなる。したがって、かかる間伐された木々を有効に利用しなければ、せっかくの大気浄化のための間伐作業の効果が半減してしまうことになる。
【０００４】
これら間伐された木々を有効利用する技術として、特開２００７−４００６８号公報（特許文献１）や特開２００６−１２５１７１号公報（特許文献２）、特開２００４−２３２３８４（特許文献３）に記載されているような提案がなされている。しかしながら、これらの提案は、いずれも単に間伐された木々を間伐材として利用するというだけのものであって、上述したような間伐材がもつ問題点を解決したものではない。
【０００５】
【特許文献１】特開２００７−４００６８号公報
【特許文献２】特開２００６−１２５１７１号公報
【特許文献３】特開２００４−２３２３８４号公報
【発明の開示】
【発明が解決しようとする課題】
【０００６】
本発明は、上記事情に鑑み、間伐材がもつ収縮やひび割れ等変形が大きいといった問題点を解消し、有効に間伐材を利用することが可能となる間伐材利用パネルの製造方法及びその方法により製造される間伐材利用パネルを提供することを目的とするものである。
【課題を解決するための手段】
【０００７】
前記目的を達成するため、本発明は、間伐材を利用した合成パネルの製造方法であって、間伐材を加工してできた略同一の角材を複数本用意し、該複数の角材を並列に配列し、並列に配列された角材同士を結束するための少なくとも一以上の貫通孔を形成するとともに該貫通孔に金属筋を通し、両端列に配列された角材から内側列に配列された角材方向へ並列に配列された角材同士を加圧しつつ乾燥を行い、乾燥完了後に前記金属筋の両端を締結具で締結するとともに前記加圧を止めることで完成する間伐材利用パネルの製造方法である。
【０００８】
また、本発明は、前記間伐材利用パネルの製造方法において、並列に配列された角材の隣接するいずれか一方の角材隣接面に、少なくとも一以上の貫通溝が長さ方向に形成されている構成を採用し得る。
【０００９】
さらに、本発明は、前記間伐材利用パネルの製造方法において、並列に配列された角材の隣接する両方の角材隣接面に、少なくとも一以上の貫通溝が長さ方向に形成されている構成を採ることもできる。
【００１０】
またさらに、本発明は、前記間伐材利用パネルの製造方法において、並列に配列された角材の隣接する両方の角材隣接面に形成された夫々の貫通溝同士が同位置にあるように貫通溝が形成されている構成とすることもできる。
【００１１】
さらにまた、本発明は、前記間伐材利用パネルの製造方法において、貫通孔が、金属筋と略同径である構成を採用し得る。
【００１２】
そしてまた、本発明は、前記間伐材利用パネルの製造方法において、貫通溝に空気を送風することで乾燥を行う構成とすることもできる。
【００１３】
そしてさらに、本発明は、  前記間伐材利用パネルの製造方法において、乾燥完了後に貫通溝を埋込材で埋める構成を採ることもできる。
【００１４】
またさらに、本発明は、前記したいずれかの方法により製造される間伐材利用パネルである。
【発明の効果】
【００１５】
本発明にかかる間伐材利用パネルの製造方法によれば、山林に放置されていた間伐された木々を間伐材として利用する場合の問題点、すなわち間伐材の収縮や捩れなどといった変形が大きいという問題点を解消し、建築材料等として有効に利用することが可能となり、資源の有効利用並びに環境にも資することとなる。
【００１６】
また、本発明にかかる間伐材利用パネルの製造方法により完成する間伐材利用パネルは、その後水分等による変形もほとんど発生することなく、したがって、あらゆる場面で使用することが可能であり、大変に有効である。
【発明を実施するための最良の形態】
【００１７】
以下、本発明にかかる間伐材利用パネルの製造方法についての実施形態を、図面に基づいて順を追って説明する。
【００１８】
図１は、本発明にかかる間伐材利用パネル１の製造方法を示すフローチャートであり、図２は、本発明にかかる間伐材利用パネル１の製造方法を示す説明図である。
すなわち、該間伐材利用パネル１の製造方法は、まずはじめに、間伐材を加工してできた略同一の角材２を複数本用意し、これら用意された複数の角材２を並列に配列する。このとき、用意される角材２の本数については、複数本であれば限定するものではなく、完成させる間伐材利用パネル１の大きさを考慮して、適宜決定される。
【００１９】
用意される角材２について、並列に配列される際に隣接する角材２との隣接面２ａに、少なくとも一以上の貫通溝４を長さ方向に形成することが望ましい。かかる構成を採ることにより、該貫通溝４に空気を送風しつつ乾燥を行うことで、より効率的・効果的に乾燥を行うことが可能となる。
【００２０】
なお、形成される貫通溝４の形状について、図面では略方形とした場合について示しているが、かかる形状を特に限定するものではなく、例えば、略半円形等であってもよい。
また、貫通溝４の数について、図面では一の角材２における一の隣接面に二の貫通溝４を形成した場合について示しているが、少なくとも一以上の貫通溝４を形成すれば、その数については特に限定するものではなく、角材２の大きさや強度、乾燥効率等を考慮して、適宜決定される。
【００２１】
さらに、角材２に貫通溝４を形成する際に、少なくとも並列に配列された角材２の隣接するいずれか一方の角材隣接面２ａに形成されることとなる。なお、図面では、並列に配列された角材２の隣接する両方の角材隣接面２ａに貫通溝４が形成されている場合について示されている。このとき、図面に示すように、角材２同士を隣接させた際に、両方の角材隣接面２ａに形成された夫々の貫通溝４同士が同位置にあるように貫通溝４が形成されていることが望ましい。
【００２２】
次に、並列に配列された角材２について、それら角材２同士を結束するための少なくとも一以上の貫通孔３を形成し、該貫通孔３に金属筋５を通す。
【００２３】
かかる貫通孔３について、図面では該貫通孔３を四つ形成した場合について示しているが、その数は特に限定するものではなく、乾燥による角材２の効果的な変形抑制作用などを考慮して、適宜決定される。
【００２４】
また、形成される貫通孔３について、該貫通孔３に通される金属筋５と略同径であることが好ましい。かかる構成とすることにより、角材２と金属筋５とを一体化することができるため、乾燥により角材２の変形が生じた際に、その変形を金属筋５で効果的に抑制・矯正することが可能となる。
【００２５】
なお、金属筋５の材質については、金属製であれば特に限定するものではなく、一般的な鉄筋等であればよい。ただし、乾燥による角材２の変形を矯正し得るだけの強度を備えることを要する。
【００２６】
その後、角材２が並列に配列された状態で、両端列に配列された角材２から内側列に配列された角材２方向へ、角材２同士を加圧しつつ乾燥を行う。
【００２７】
加圧の方法については、両端列に配列された角材２を挟み込むようにして、該両端列側から内側列側へ、可能な限り均等に加圧する。なお、図面では、プレテンション方式を採用した場合について示している。すなわち、両端列に配列された角材２の外側から軸８を介してセンターホールジャッキＪを使用して加圧し、乾燥後に金属筋５の両端をナット等の締結具６で締結して軸８への加圧を終了することで、加圧力が金属筋５に移行する方式である。かかる方式を採用することにより、前記加圧による圧縮力が金属筋５に残留し、結果としてパネル全体の変形やひび割れを防止することが可能となる
【００２８】
乾燥の方法については、特に限定するものではなく、自然乾燥と人工的乾燥とを問わない。より早く乾燥を完了するためには、人工的に乾燥させる方法を採用すればよく、その場合に加熱による方法や送風による方法、それらの組み合わせなどが考えられる。
【００２９】
上記の通り、プレテンション方式による乾燥が完了した後、並列に配列した角材２同士を結束すべく、前記貫通孔３に通された金属筋５の両端を、ナット等の締結具６によって締結する。それによって、前記加圧を止めても、角材２を加圧状態のまま維持することができる。
【００３０】
その後、貫通溝４を埋込材７により埋める。埋込材７については、特に限定するものではなく、埋木や流動性モルタル、合成樹脂など種々考え得る。これにより隙間を無くすることができ、虫害や菌類の発生を防止市、強度的にも優れた効果を奏する。
【００３１】
以上の各工程を経ることにより、本発明にかかる間伐材利用パネル１は完成する。図３は、本発明にかかる間伐材利用パネル１を示す説明図であり、（ａ）は斜視図、（ｂ）は（ａ）におけるＡＡ断面図である。
【００３２】
完成した間伐材利用パネル１は、各角材２が充分に乾燥されていることにより、その後の変形はほとんど発生することがない。仮に多少の変形作用が起こったとしても、各角材２に形成された貫通孔３を通る金属筋５がその変形を抑制するように作用するため、変形のおそれは全くない。
【産業上の利用可能性】
【００３３】
間伐材の存在は、現代において社会問題となっており、該間伐材の処理を如何にするべきか、何らかの利用法はないのか、その解答が求められている。かかる現状にあって、本発明は、利用価値の少ない間伐材を有効利用することができるとともに、優れた木質の合成パネルとして建材等の広い分野において、充分にその用途が存在するものと思量する。特殊な材料を使用することがなく、現在流通されている部品を利用することと、簡易な製造工法は、参加する業者を増し、コストダウンを図ることができる。したがって、本発明の産業上の利用可能性は極めて高いものと解される。
【図面の簡単な説明】
【００３４】
【図１】本発明にかかる間伐材利用パネルの製造方法を示すフローチャートである。
【図２】本発明にかかる間伐材利用パネルの製造方法を示す説明図である。
【図３】本発明にかかる間伐材利用パネルを示す説明図である。
【符号の説明】
【００３５】
１    間伐材利用パネル
２    角材
２ａ  隣接面
３    貫通孔
４    貫通溝
５    金属筋
６    締結具
７    埋込材
８    軸
Ｊ    センターホールジャッキ
【図１】
2010043461.tif 000003
【図２】
2010043461.tif 000004
【図３】
2010043461.tif 000005